(57)【要約】【課題】  会員登録手続を不要にしながら、特定の顧客へ特典情報を提供することによって、遊技場への顧客の囲い込みをより確実にできるようにする。【解決手段】  権利情報付与手段１１は、遊技状況に応じて生成される遊技状況信号に基づいて、自ら生成するか、遊技状況確認手段１３が生成したトリガ信号を認識し、トリガ信号を認識した場合に、生体情報入力手段１０から取り込んだ第１生体情報を生体情報記憶手段４に記憶させる機能とを備え、特典情報提供手段１２は、生体情報入力手段１０から第２生体情報を取り込んで、取り込んだ第２生体情報を生体情報記憶手段４が記憶している第１生体情報と照合して認証する機能と、取り込んだ第２生体情報が自身に予め設定されている特典情報提供条件を満足していると判定した場合に、特典情報記憶手段５が記憶している特典情報を情報出力手段６に対して出力する機能とを備えた。【選択図】  図２
2007159860.tif 000002
【特許請求の範囲】
【請求項１】
遊技状況に応じて遊技状況信号を生成する遊技機や遊技媒体払い出し装置などの遊技状況確認手段に接続された権利情報付与手段と、この権利情報付与手段に接続し、第１生体情報を入力するための生体情報入力手段と、上記権利情報付与手段に接続し、第１生体情報を記憶する生体情報記憶手段と、この生体情報記憶手段に接続し、特典情報を提供する特典情報提供手段と、この特典情報提供手段に接続し、第２生体情報を入力するための生体情報入力手段と、上記特典情報提供手段に接続し、特典情報を記憶した特典情報記憶手段と、上記特典情報提供手段に接続した情報出力手段とからなり、上記権利情報付与手段は、上記遊技状況信号に基づいて、自ら生成したトリガ信号または上記遊技状況確認手段が生成したトリガ信号を認識する機能と、上記生体情報入力手段から第１生体情報を取り込む機能と、トリガ信号を認識した場合に、取り込んだ第１生体情報を生体情報記憶手段に記憶させる機能とを備え、上記特典情報提供手段は、生体情報入力手段から第２生体情報を取り込む機能と、取り込んだ第２生体情報を生体情報記憶手段が予め記憶している第１生体情報と照合して認証する機能と、取り込んだ第２生体情報が自身に予め設定されている特典情報提供条件を満足しているか否かを判定する機能と、上記第２生体情報が上記特典情報提供条件を満足していると判定した場合に、特典情報記憶手段が記憶している特典情報を情報出力手段に対して出力する機能とを備えた特典情報提供システム。
【請求項２】
遊技機に個別に対応した遊技機対応端末を設けるとともに、これら各遊技機対応端末には、上記権利情報付与手段、特典情報提供手段、生体情報入力手段および情報出力手段を備えた請求項１に記載の特典情報提供システム。
【請求項３】
生体情報入力手段が、指紋データ読み取り手段であり、上記特典情報提供手段は、第２生体情報としての指紋データを認識したときに、この指紋データが情報提供条件を満足しているか否かを判定する機能を備えた請求項２に記載の特典情報提供システム。
【請求項４】
上記権利情報付与手段は、上記特典情報提供条件と対比するための対比情報を第１生体情報に対応付けて生体情報記憶手段に記憶させる機能を備えた請求項１〜３のいずれか１に記載の特典情報提供システム。
【請求項５】
遊技状況に応じて遊技状況信号を生成する遊技機や遊技媒体払い出し機などの遊技状況確認手段に接続された権利情報付与手段と、この権利情報付与手段に接続し、固有情報を記録した記録媒体を発行する記録媒体発行手段と、上記記録媒体に記録された固有情報を記憶する固有情報記憶手段と、この固有情報記憶手段に接続し、特典情報を提供する特典情報提供手段と、この特典情報提供手段に接続し、上記記録媒体から固有情報を読み取るための記録媒体読み取り手段と、上記特典情報提供手段に接続し、特典情報を記憶した特典情報記憶手段と、上記特典情報提供手段に接続した情報出力手段とからなり、上記権利情報付与手段は、上記遊技状況信号に基づいて、自ら生成したトリガ信号または上記遊技状況確認手段が生成したトリガ信号を認識する機能と、トリガ信号を認識した場合に、記録媒体発行手段に固有情報を記録した記録媒体を発行させる機能を備え、上記特典情報提供手段は、記録媒体読み取り手段から固有情報を取り込む機能と、取り込んだ固有情報を上記固有情報記憶手段が記憶している固有情報と照合して認証する機能と、認証した固有情報が、自身に予め設定されている特典情報提供条件を満足しているか否かを判定する機能と、上記記録媒体から取り込んだ固有情報が上記特定情報提供条件を満足していると判定した場合に、上記特典情報記憶手段が記憶している特典情報を情報出力手段に対して出力する機能とを備えた特典情報提供システム。
【請求項６】
上記権利情報付与手段は、上記特典情報提供条件と対比するための対比情報を上記固有情報に対応付けて固有情報記憶手段に記憶させる機能を備えた請求項５に記載の特典情報提供システム。
【請求項７】
遊技状況に応じて遊技状況信号を生成する遊技機や遊技媒体払い出し機などの遊技状況確認手段に接続された権利情報付与手段と、この権利情報付与手段に接続し、権利付与情報を記録した記録媒体を発行する記録媒体発行手段と、上記記録媒体から権利付与情報を読み取るための記録媒体読み取り手段と、この記録媒体読み取り手段に接続した特典情報提供手段と、この特典情報提供手段に接続し、特典情報を記憶した特典情報記憶手段と、上記特典情報提供手段に接続した情報出力手段とからなり、上記権利情報付与手段は、上記遊技状況信号に基づいて、自ら生成したトリガ信号または上記遊技状況確認手段が生成したトリガ信号を認識する機能と、トリガ信号を認識した場合に、記録媒体発行手段に特典付与情報を記録した記録媒体を発行させる機能を備え、上記特典情報提供手段は、記録媒体読み取り手段から特典付与情報を取り込む機能と、取り込んだ特典付与情報を、自身に予め設定されている特典情報提供条件を満足しているか否かを判定する機能と、上記記録媒体から取り込んだ固有情報が特定情報提供条件を満足していると判定した場合に、上記特典情報記憶手段が記憶している特典情報を情報出力手段に対して出力する機能とを備えた特典情報提供システム。
【請求項８】
上記権利情報付与手段は、記録媒体発行手段に、上記特典情報提供条件と対比するための対比情報を権利付与情報に対応付けて記録媒体に記録させる機能を備えた請求項７に記載の特典情報提供システム。
【請求項９】
上記遊技状況確認手段が遊技媒体を計数する計数機であり、権利情報付与手段は、記録媒体発行手段に、計数機が計数した遊技媒体の計数値を特定可能な計数値特定情報を記録媒体に記録させる機能を備えた請求項５〜８のいずれか１に記載の特典情報提供システム。
【請求項１０】
上記特典情報提供手段に、会員カードから会員ＩＤを読み取る会員カード読み取り手段と、会員ＩＤに会員情報を対応付けて記憶している会員情報記憶手段とを接続し、特典情報提供手段は、会員ＩＤ読み取り手段を介して読み取った会員ＩＤを、会員情報記憶手段が記憶している会員ＩＤと照合し、上記読み取った会員ＩＤが会員情報記憶手段に記憶されていた場合に、特典情報記憶手段が記憶している特典情報を情報出力手段に対して出力する機能を備えた請求項１〜９に記載の特典情報提供システム。
【発明の詳細な説明】
【技術分野】
【０００１】
この発明は、パチンコ店などの遊技場の顧客である遊技者に対し、特典情報を提供するための特典情報提供システムに関する。
【背景技術】
【０００２】
遊技場において、会員登録を行なった会員遊技者に対して、様々な特典情報を提供するシステムがある。
なお、特典情報とは、遊技者にとっては、それが表示されたら、得するような、嬉しい情報である。例えば、特定の機種の出玉データや、始動回数など、遊技機に関する情報のほか、遊技場からの期間限定サービスに関するお知らせなどである。なお、上記始動数の始動とは、特定の入賞口に入賞することによって、図柄が回転することであり、大当たり発生のための必要条件である。
【０００３】
そして、上記のような遊技機に関する情報を、遊技場内の表示装置に表示させれば、遊技者は、大当たりが出易く、玉が良く出る機種を予測することができる。また、遊技場からのお知らせが表示されれば、遊技場からのサービスを受け損なうようなことも少なくなる。
ただし、このような特典情報は、予め、登録手続をした会員に対してのみ提供するようにしている。例えば、会員には会員カードを発行し、その会員カードを読み取ったときに、その会員が見ることができる表示装置に情報を表示させるようにする。また、特典情報の提供には、会員カードを持っているということ以外にも、様々な条件を付けて、その条件を満たした会員のみに特典情報を提供するようにすることもあった。
【特許文献１】特開２００４−１８７９３３号公報
【発明の開示】
【発明が解決しようとする課題】
【０００４】
上記のような、会員用の特典情報提供システムでは、特典情報の提供を受けようとする遊技者は、予め会員登録が必要である。
ただし、会員登録のための手続が面倒だという理由によって、会員登録を行なわない遊技者も多数いる。このような非会員は、上記のような会員向け特典情報提供システムを導入している遊技場へ行っても、上記特典情報を見ることができない。そのため、このような遊技者は、特典情報見たさに、特定の遊技場へ行くことはない。
すなわち、遊技場側からみれば、特典情報を提供することによって、顧客を囲い込むという目的を十分に達成できないということである。
【０００５】
この発明の目的は、会員登録手続を不要にしながら、特定の顧客へ特典情報を提供することによって、遊技場への顧客の囲い込みをより確実にできる特典情報提供システムを提供することである。
【課題を解決するための手段】
【０００６】
第１の発明は、遊技状況に応じて遊技状況信号を生成する遊技機や遊技媒体払い出し装置などの遊技状況確認手段に接続された権利情報付与手段と、この権利情報付与手段に接続し、第１生体情報を入力するための生体情報入力手段と、上記権利情報付与手段に接続し、第１生体情報を記憶する生体情報記憶手段と、この生体情報記憶手段に接続し、特典情報を提供する特典情報提供手段と、この特典情報提供手段に接続し、第２生体情報を入力するための生体情報入力手段と、上記特典情報提供手段に接続し、特典情報を記憶した特典情報記憶手段と、上記特典情報提供手段に接続した情報出力手段とからなり、上記権利情報付与手段は、上記遊技状況信号に基づいて、自ら生成したトリガ信号または上記遊技状況確認手段が生成したトリガ信号を認識する機能と、上記生体情報入力手段から第１生体情報を取り込む機能と、トリガ信号を認識した場合に、取り込んだ第１生体情報を生体情報記憶手段に記憶させる機能とを備え、上記特典情報提供手段は、生体情報入力手段から第２生体情報を取り込む機能と、取り込んだ第２生体情報を生体情報記憶手段が予め記憶している第１生体情報と照合して認証する機能と、取り込んだ第２生体情報が自身に予め設定されている特典情報提供条件を満足しているか否かを判定する機能と、上記第２生体情報が上記特典情報提供条件を満足していると判定した場合に、特典情報記憶手段が記憶している特典情報を情報出力手段に対して出力する機能とを備えた点に特徴を有する。
【０００７】
第２の発明は、第１の発明を前提とし、遊技機に個別に対応した遊技機対応端末を設けるとともに、これら各遊技機対応端末には、上記権利情報付与手段、特典情報提供手段、生体情報入力手段および情報出力手段を備えた点に特徴を有する。
【０００８】
第３の発明は、上記第２の発明を前提とし、生体情報入力手段が、指紋データ読み取り手段であり、上記特典情報提供手段は、第２生体情報としての指紋データを認識したときに、この指紋データが情報提供条件を満足しているか否かを判定する機能を備えた点に特徴を有する。
【０００９】
第４の発明は、第１〜３の発明を前提とし、上記権利情報付与手段は、上記特典情報提供条件と対比するための対比情報を第１生体情報に対応付けて生体情報記憶手段に記憶させる機能を備えた点に特徴を有する。
【００１０】
第５の発明は、遊技状況に応じて遊技状況信号を生成する遊技機や遊技媒体払い出し機などの遊技状況確認手段に接続された権利情報付与手段と、この権利情報付与手段に接続し、固有情報を記録した記録媒体を発行する記録媒体発行手段と、上記記録媒体に記録された固有情報を記憶する固有情報記憶手段と、この固有情報記憶手段に接続し、特典情報を提供する特典情報提供手段と、この特典情報提供手段に接続し、上記記録媒体から固有情報を読み取るための記録媒体読み取り手段と、上記特典情報提供手段に接続し、特典情報を記憶した特典情報記憶手段と、上記特典情報提供手段に接続した情報出力手段とからなり、上記権利情報付与手段は、上記遊技状況信号に基づいて、自ら生成したトリガ信号または上記遊技状況確認手段が生成したトリガ信号を認識する機能と、トリガ信号を認識した場合に、記録媒体発行手段に固有情報を記録した記録媒体を発行させる機能を備え、上記特典情報提供手段は、記録媒体読み取り手段から固有情報を取り込む機能と、取り込んだ固有情報を上記固有情報記憶手段が記憶している固有情報と照合して認証する機能と、認証した固有情報が、自身に予め設定されている特典情報提供条件を満足しているか否かを判定する機能と、上記記録媒体から取り込んだ固有情報が上記特定情報提供条件を満足していると判定した場合に、上記特典情報記憶手段が記憶している特典情報を情報出力手段に対して出力する機能とを備えた点に特徴を有する。
【００１１】
第６の発明は、第５の発明を前提とし、上記権利情報付与手段が、上記特典情報提供条件と対比するための対比情報を上記固有情報に対応付けて固有情報記憶手段に記憶させる機能を備えた点に特徴を有する。
【００１２】
第７の発明は、遊技状況に応じて遊技状況信号を生成する遊技機や遊技媒体払い出し機などの遊技状況確認手段に接続された権利情報付与手段と、この権利情報付与手段に接続し、権利付与情報を記録した記録媒体を発行する記録媒体発行手段と、上記記録媒体から権利付与情報を読み取るための記録媒体読み取り手段と、この記録媒体読み取り手段に接続した特典情報提供手段と、この特典情報提供手段に接続し、特典情報を記憶した特典情報記憶手段と、上記特典情報提供手段に接続した情報出力手段とからなり、上記権利情報付与手段は、上記遊技状況信号に基づいて、自ら生成したトリガ信号または上記遊技状況確認手段が生成したトリガ信号を認識する機能と、トリガ信号を認識した場合に、記録媒体発行手段に特典付与情報を記録した記録媒体を発行させる機能を備え、上記特典情報提供手段は、記録媒体読み取り手段から特典付与情報を取り込む機能と、取り込んだ特典付与情報を、自身に予め設定されている特典情報提供条件を満足しているか否かを判定する機能と、上記記録媒体から取り込んだ固有情報が特定情報提供条件を満足していると判定した場合に、上記特典情報記憶手段が記憶している特典情報を情報出力手段に対して出力する機能とを備えた点に特徴を有する。
【００１３】
第８の発明は、第７の発明を前提とし、上記権利情報付与手段が、記録媒体発行手段に、上記特典情報提供条件と対比するための対比情報を権利付与情報に対応付けて記録媒体に記録させる機能を備えた点に特徴を有する。
【００１４】
第９の発明は、第５〜第８の発明を前提とし、上記遊技状況確認手段が遊技媒体を計数する計数機であり、権利情報付与手段は、記録媒体発行手段に、計数機が計数した遊技媒体の計数値を特定可能な計数値特定情報を記録媒体に記録させる機能を備えた点に特徴を有する。
【００１５】
第１０の発明は、上記第１〜第９の発明を前提とし、上記特典情報提供手段に、会員カードから会員ＩＤを読み取る会員カード読み取り手段と、会員ＩＤに会員情報を対応付けて記憶している会員情報記憶手段とを接続し、特典情報提供手段は、会員ＩＤ読み取り手段を介して読み取った会員ＩＤを、会員情報記憶手段が記憶している会員ＩＤと照合し、上記読み取った会員ＩＤが会員情報記憶手段に記憶されていた場合に、特典情報記憶手段が記憶している特典情報を情報出力手段に対して出力する機能を備えた点に特徴を有する。
【００１６】
なお、上記遊技状況信号の元となる遊技状況には、遊技機を用いている状況だけでなく、遊技結果も含み、遊技結果である遊技媒体の獲得数や、アウト玉数なども遊技状況に含まれる。従って、遊技状況確認手段は、遊技機そのもの、アウト玉カウンター、のほか、遊技媒体の払い出し装置、計数装置などが含まれる。
【発明の効果】
【００１７】
第１〜第１０の発明によれば、遊技者は、遊技場において、遊技以外に、特別な登録手続をしなくても、所定の条件を満足した場合には、特典情報を見ることができるようになる。そのため、この特典情報によって特定の遊技場への再来店を促し、遊技場としては顧客の囲い込みを期待できる。
特に、遊技状況に応じたトリガ信号の発生が、特典情報提供のための必要条件の一つとなるため、その条件を満たす遊技状況になるか否かということも、遊技者の興味を引き、遊技をより面白くすることになる。その結果、各遊技者の遊技時間が長くなったり、さらに、来店回数が増えたりすることも期待できる。
【００１８】
特に、第１の発明では、生体情報によって、権利情報を付与されたことを認証するようにしているので、特典情報を要求する遊技者は、権利情報やＩＤを記録したカードなどを持つ必要がない。
【００１９】
また、第２の発明によれば、遊技者は、遊技しながら、情報を得る権利を取得したり、特典情報の提供を受けたりすることができるようになる。
第３の発明によれば、遊技者にとって、生体情報を読み取らせる作業が、指を指紋読み取り窓などに当てるだけでよいので、遊技中であっても簡単にでき、遊技の邪魔にならない。
【００２０】
第５、第７の発明によれば、特典情報を得る権利を取得したことを特定するための情報を記録した記録媒体を発行することができる。
第７の発明によれば、特典情報提供手段が、ＩＤなどの固有情報を認証する処理を必要としない。
【００２１】
また、第４、第６、第８の発明によれば、特典情報の提供期限など、様々な条件を付加して、特典情報の価値を高めることができる。
第９の発明によれば、遊技媒体の計数時に権利情報を付与し、遊技媒体の係数値を記録する記録媒体と、権利情報の記録媒体とを兼用することができる。
【００２２】
第１０の発明では、会員カードを読み取ったときには、その他の条件なしで、特典情報を提供するようにしているため、会員カードを持たない遊技者と持っている遊技者とで、特典情報提供の条件に差をつけることができる。特典情報を提供するタイミングには、差を付けても、情報内容は同じなので、非会員は、会員になったときのメリットを予想できる。そのため、特典情報を、より頻繁に得たいと考えた場合には、面倒な手続があったとしても、会員登録をする可能性がある。つまり、このシステムによれは、非会員を自ら登録手続を行なう会員へ誘導することもできる。
遊技場側では、登録手続の際に、必要情報を登録させるようにすれば、会員について個別に来店情報や遊技情報など、顧客情報を管理することもできるようになる。
【発明を実施するための最良の形態】
【００２３】
図１、図２に示す第１実施形態は、遊技場内において、遊技中に権利を付与された遊技者に、特典情報を提供するシステムを示している。
このシステムは、遊技場に設置した個々の遊技機１に、遊技機対応端末である端末２を隣接して設け、この端末２には、この発明の特典情報記憶手段である特典情報データベース３と、生体情報記憶手段である指紋データベース４と、会員情報記憶手段である会員情報データベース５とを接続している。各端末２は、図１に示すように、上記特典情報を表示するための情報出力手段であるディスプレイ６と、会員カードを挿入するカード挿入口７および指紋読み取り窓８を備えている。
そして、遊技機１で遊技中の遊技者が、遊技機１に隣接された端末２のディスプレイ６に表示される情報を見ることができるようにしている。
【００２４】
また、図２のブロック図に示すように、遊技機対応端末２は、上記ディスプレイ６のほか、上記カード挿入口７に連結し、カード挿入口７に挿入されたカードから情報を読み取るカードリーダー９と、上記指紋読み取り窓８に連係した指紋リーダー１０と、第１データ処理部１１と、第２データ処理部１２とを備えている。
また、遊技機１には、遊技媒体の払い出しや、大当たりの発生など、遊技自体を制御する遊技機用制御部１３を備えている。そして、この遊技機用制御部１３を上記端末２の第１データ処理部１１に接続し、遊技機用制御部１３から、遊技状況が第1データ処理部１１へ入力されるようにしている。
【００２５】
この第１データ処理部１１は、特定の遊技者が、特典情報を取得する権利を、遊技者に対して与えるデータ処理部であり、この発明の権利情報付与手段に当たる。
そして、第１データ処理部１１は、上記遊技機用制御部１３から入力された遊技状況が予め設定された特定の遊技状況であるか否かを判定し、その時点での遊技状況が、上記特定の遊技状況であると判断した時には、その判断結果をトリガ信号として認識する機能を備えている。また、上記指紋読み取り窓８に置かれた指の指紋を、指紋リーダー１０を介して取り込む機能を備えている。
そして、上記トリガ信号を認識した場合に、取り込んだ指紋データを、特典情報を取得する権利を与えた遊技者の指紋データとして指紋データベース４に登録するようにしている。
【００２６】
一方、端末２の第２データ処理部１２は、上記第１データ処理部１１によって、情報取得の権利を与えられた遊技者に対して、特典情報を提供する処理を行なうものである。具体的には、指紋リーダー１０を介して入力された指紋データが、指紋データベース４に登録されているか否かを判断して、登録されていた場合には、さらに、その指紋データが条件を見たしているか否かを判定し、条件を満たしていた場合に、上記特典情報データベース３の特典情報を、ディスプレイ６に表示させるようにしている。
【００２７】
また、この特典第２データ処理部１２は、カードリーダー９を介して読み取ったカードＩＤが、会員情報データベース５に登録済みの場合には、特典情報を表示させるようにしている。
なお、この第１実施形態においては、指紋データが、この発明の生体情報であり。そして、第１データ処理部１１が取り込む指紋データが、この発明の第１生体情報であり、第２データ処理部１２が取り込む指紋データが、この発明の第２生体情報である。
【００２８】
以下に、この実施形態において、特定の遊技者が特典情報を提供されるまでの、端末２の処理手順を説明する。
なお、この第１実施形態では、会員カードを持っている会員遊技者と、会員カードを持っていない非会員遊技者とに対して、別々の手順によって同じ特典情報を提供するようにしているので、会員登録済みで、会員カードを携帯している遊技者に対する特典情報の提供手順について先に説明する。
【００２９】
会員遊技者は、特典情報を見たいとき、会員カードを端末２のカード挿入口７に挿入する。第２データ処理部１２は、会員カードが挿入されたら、そのカードからカードリーダー９を介してカードＩＤを読み取って、そのＩＤが、会員情報データベース５に登録されているかどうかを確認する。そして、会員登録されていることを確認できたら、特典情報データベース３から特典情報を引き出して、ディスプレイ６に表示させる。
なお、ここでは、会員カードが読みとたれたときに、会員遊技者からの情報提供要求があったと認識するようにしているが、例えば、ディスプレイ６に情報要求ボタンなどを表示させて、それを押させることによって、第２データ処理部１２が、情報要求信号を認識するようにしてもよい。
【００３０】
次に、会員カードを持たないが、生体情報を登録することによって、特典情報を見ることができるようにする手順を説明する。
はじめに、遊技者が、情報取得の権利者として登録されるまでの手順を説明する。
遊技者が、遊技機１で遊技していると、遊技機用制御部１３から、遊技状況信号が、第１データ処理部１１に対して出力される。この遊技状況信号は、例えば、パチンコ玉の発射や、遊技媒体の払い出し、大当たりの発生などに対応する信号である。この第１実施形態では、上記遊技機用制御部１３が、この発明の遊技状況確認手段である。
【００３１】
このような遊技状況信号を受信した第１データ処理部１１は、入力された遊技状況信号に対応した遊技状況が、予め設定した状況になったときに、それをトリガと認識する。予め設定した状況とは、例えば、発射数が設定回数になったときとか、大当たりが発生したときなどである。
なお、上記のように、発射回数を基にしてトリガを認識する場合には、第１データ処理部１１は、入力された発射信号を計数処理する必要があるが、大当たりが発生したことをトリガ信号と認識する場合には、入力された信号が大当たり信号であることを区別するだけでよい。
【００３２】
ただし、遊技機用制御部１３で、発射信号の計数などを行ない、設定回数に達した時点で、トリガ信号を生成して、それを出力するようにしても良い。この場合には、遊技機用制御部１３から第１データ処理部１１には、トリガ信号のみが入力されることになる。従って、第１データ処理部１１は、信号の入力を検出することによってトリガ信号を認識することになる。
【００３３】
上記のようにして、第１データ処理部１１は、トリガ信号を認識したら、遊技者に対して、指紋入力を促すメッセージを、ディスプレイ６に表示させる。この際、指紋データを登録すれば、特典情報を取得する権利を与えられることや、特典情報をディスプレイ６に表示させるための手順などを、表示するようにしてもよい。
このメッセージに応じて、遊技者が端末２の指紋読み取り窓８に自分の指を置くと、第１データ処理部１１が、指紋リーダー１０を介して指紋データを取り込む。
第１データ処理部１１は、指紋データを認識したら、この指紋データを指紋データベース４へ登録する。以上で、指紋データの登録が終了する。なお、第１データ処理部１１が取り込む登録用の指紋データが、この発明の第１生体情報である。
【００３４】
このように、指紋データを登録した遊技者は、特典情報を表示させたいときに、ディスプレイ６に表示された情報要求ボタンを押してから、再度、上記指紋読み取り窓８から自分の指紋を読み取らせる。上記情報要求ボタンが押されたら、情報要求信号が第２データ処理部１２へ入力され、第２データ処理部１２は、指紋リーダー１０を介して、指紋データを取り込む。なお、第２データ処理部１２が取り込む指紋データが、この発明の第２生体情報である。
【００３５】
第２データ処理部１２は、取り込んだ指紋データが、上記指紋データベース４に登録されているかどうか確認する。取り込んだ指紋が、指紋データベース４に登録されていない場合には、特典情報を提供できない旨を、ディスプレイ６に表示して処理を終了する。
もしも、上記取り込んだ指紋データが、指紋データベース４に登録されていた場合には、上記第２データ処理部１２は、特典情報データベース３から、特典情報を引き出して、端末２のディスプレイ６にその情報を表示させる。
以上で、指紋データを登録した遊技者に対して特典情報を提供する手順は終了する。
【００３６】
なお、上記では、指紋データが指紋データベース４に登録されていることが、特典情報提供条件であるが、情報提供条件として、さらに、別の条件を追加することもできる。例えば、指紋データを登録したときと同じ遊技機１で遊技中にのみ、特典情報提供をするというような条件をつけたり、指紋データを登録してから３日間だけ、特典情報を提供するというように、期限を設けたりすることもできる。
【００３７】
遊技機を限定する場合には、第１データ処理部１１が、指紋データの登録時に、遊技中の遊技機の台番号など、遊技機を特定する情報を指紋データに対応付けて、指紋データベース４へ登録するようにする。
そして、第２データ処理部１２が、指紋データを取り込んだときに、その指紋データを指紋データベース４で検索するとともに、それに対応付けられている台番号と、自身に対応する遊技機とが一致するかどうかを判断し、一致した場合にのみ、特典情報を表示させるようにする。
【００３８】
上記、第２データ処理部１２に対応する遊技機とは、この第２データ処理部１２を備えている端末２に対応する遊技機１のことである。
また、この場合、特定の遊技機１の台番号が、特典情報提供条件であり、第２データ処理部１２は、指紋データに対応付けて指紋データベース４に登録された遊技機の台番号を、上記特典情報提供条件として設定されている台番号と対比して、指紋データが条件を満たしているか否かを判断する。つまり、上記指紋データベース４に指紋データとともに登録された台番号が、条件と対比されるこの発明の対比情報である。
ただし、指紋データに対応付けて登録しておく対比情報には、直接条件と対比するものだけでなく、その情報に基づいて演算処理を行なってから、条件と対比する情報の元になる情報も含むものとする。
【００３９】
例えば、情報提供期間を、登録日から３日後と限定するような場合には、上記第１データ処理部１１が、指紋データを登録するときに、その日時を指紋データに対応付けて指紋データベース４に登録するようにする。第２データ処理部１２は、情報要求があったときに取り込んだ指紋データが、指紋データベース４に登録されているか否かを確認するだけでなく、その指紋データに対応付けられている登録日時から、有効期限を算出する。そして、現時点が、情報提供可能な期間内か否かを判断し、期限内と判断したときにのみ、特典情報を表示させるようにする。
【００４０】
つまり、上記の場合、指紋データベース４に指紋データが登録されていて、かつ、現時点が、その登録時から所定の期間内であることが、この発明の特典情報提供条件であり、この条件と対比するための有効期限は、登録日時から選出するが、この登録日時情報を、この発明の対比情報とする。
【００４１】
ただし、有効期限を決める方法として、上記のように、対比情報を登録しないで、指紋データベース４側で、指紋データの登録時から所定時間が経過した時点で、指紋データを消去するようにしてもよい。
また、いつ、指紋データを登録しても、情報登録期限は毎月何日というように決めておけば、毎月決まった日に、指紋データベース４の指紋データを消去するだけで足りる。
【００４２】
また、この実施形態では、生体情報として指紋データを利用しているが、生体情報としては指紋に限らず、虹彩や、声紋、手の平の静脈、顔の画像などでもよい。
ただし、指紋データならば、遊技者がそれを読み取らせる作業が簡単で、遊技状況に注意を払い、遊技機１を見ながらでも、読み取り窓８に指先を当てて指紋データを入力することができるというメリットがある。
さらに、この第１実施形態では、遊技機用制御部１３を遊技状況確認手段としているが、上記遊技状況確認手段には、遊技媒体払い出し装置、アウト玉カウンターや、獲得玉数を計数する計数機などでもかまわない。例えば、遊技媒体払い出し装置の場合は、遊技者の使用金額を遊技状況として使用することができる。
さらに、この第１実施形態では、図２に示すように、端末２が、第１データ処理部１１と第２データ処理部１２とを備えているが、これら第１、第２データ処理部は、別々の装置に設けてもかまわない。また、各データ処理部は、その機能に基づいて、別々に図示しているが、端末２のように１台の装置が備える場合には、両者の機能を備えた１つのデータ処理部でであってもかまわない。
【００４３】
以上のように、このシステムによれば、遊技者は、遊技場において、遊技以外に、特別な登録手続をしなくても、遊技状況に関る所定の条件を満足した場合には、特典情報を見ることができるようになる。そのため、会員登録をしていない遊技者に対しても、この特典情報によって特定の遊技場への再来店を促し、遊技場としては顧客の囲い込みを期待できる。
また、上記第１実施形態では、会員カードを持っている会員遊技者に対しては、会員登録をしていない遊技者に対する特典情報提供と同じシステムを用いて、遊技状況に関りなく、特典情報を提供するようにしている。
さらに、情報提供期間を、登録日から３日間などに限定することで、この間に、この特典情報を得るために、再来店を促すことができる。
【００４４】
このように、会員と、非会員とに、特典情報を提供するタイミングには、差を付けても、情報内容は同じにしているので、非会員は、会員になったときのメリットを予想できる。そのため、特典情報を、より頻繁に得たいと考えた場合には、面倒な手続があったとしても、会員登録をする可能性がある。つまり、このシステムによれは、非会員を自ら登録手続を行なう会員へ誘導することもできる。
【００４５】
図３に示す第２実施形態は、遊技機状況として、獲得遊技媒体数を用いるとともに、権利付与手段と特典情報提供手段とを別々の装置で構成している。
この第２実施形態のシステムは、図３のように、遊技媒体の計数機１４と、これとは別の情報表示装置１７とを備え、両装置には、ＩＤデータベース１８を接続している。
上記計数機１４は、投入された遊技媒体を計数する計数部１５と、第１データ処理部１１と、計数結果を記録したカードを発行するカード発行部１６とを備えている。
上記計数部１５は、一般的な計数機と同様の機能を有し、投入された遊技媒体数を計数し、その結果を第１データ処理部１１に対して出力する。
【００４６】
上記第１データ処理部１１は、上記第１実施形態の第１データ処理部と同様に、この発明の権利情報付与手段を構成する要素であるが、第２実施形態では、所定のトリガ信号を認識した場合に、遊技者の生体情報として指紋情報を取り込んで登録する代わりに、ＩＤを特定して、そのＩＤをＩＤデータベース１８に登録するとともに、そのＩＤを記録したカードを、カード発行部１６に発行させる機能を備えている。
また、この第１データ処理部１１は、計数部１５から入力された計数値を、上記カードに記録させる機能も備えている。
【００４７】
一方、情報表示装置１７は、特典情報を表示するための出力手段としてのディスプレイ６を備えるとともに、このディスプレイ６に接続した第２データ処理部１２と、カードリーダー９とを備え、第２データ処理部１２には、特典情報データベース３を接続している。この特典情報データベース３は、上記第２実施形態におけるデータベース３と同じであり、第２データ処理部１２は、カードリーダー９を介して読み取ったＩＤをＩＤデータベース１８と照合するとともに、そのＩＤが条件を満足しているかどうかを判断し、条件を満足していた場合には、特典情報をディスプレイ６に表示させる機能を備えている。つまり、この第２実施形態においても、第２データ処理部１２が、この発明の特典情報提供手段を構成する。
【００４８】
以下に、このシステムの作用を説明する。
遊技媒体を、計数機１４の図示しない投入口から投入すると、計数部１５がそれを計数して、計数値を第１データ処理部１１へ入力する。遊技媒体の計数値が入力された第１データ処理部１１は、その値をカード発行部１６に対して出力するとともに、計数値が予め設定された設定値に達しているか否かを判断する。設定値に満たない場合には、カード発行部１６から、計数値を記録したカードを発行させて処理を終わる。
発行されたカードには、遊技媒体の計数値が記録されているので、これを用いて、貯玉や、景品交換をすることができる。
【００４９】
一方、計数部１５から入力された計数値が、設定値に達していた場合には、その検出をトリガ信号として、次の処理へ進む。
すなわち、第１データ処理部１１は、上記トリガ信号を認識したら、新たにＩＤを発行するか、あるいは、計数値を記録するカードに予め記録されたカードＩＤを特定して、そのＩＤを情報取得権利者に対応付けたＩＤとして、ＩＤデータベース１８へ登録する。さらに、第１データ処理部１１は、上記登録したＩＤを、上記発行するカードに記録させる。このカードが、この発明の記録媒体である。
なお、上記カード発行部１６が発行するカードは登録手続を必要とする所謂、会員カードではなく、遊技媒体数と、特典情報提供システムのためのＩＤとを記録したカードである。
【００５０】
上記のようにＩＤが記録され、計数機１４から発行されたカードを受け取った遊技者が特典情報を見たい場合、発行されたカードを、情報表示装置１７のカードリーダー９に連結した図示しないカード挿入口に挿入し、カード情報を読み取らせる。
情報表示装置１７の第２データ処理部１２は、カードリーダー９を介して、カードからＩＤを読み取って、読み取ったＩＤがＩＤデータベース１８に登録されているか否か認証し、認証できた場合には、上記特典情報データベース３から特典情報を引き出して、ディスプレイ６に表示させる。
【００５１】
これにより、第１実施形態と同様に、会員登録などをしなくても、特典データを見ることができ、遊技場としては、このシステムによって特定の遊技場への再来店を促し、顧客の囲い込みを期待できる。
なお、ここでは、ＩＤデータベース１８にＩＤが登録されていることが、特典情報提供の条件であるが、第１実施例でも説明したように、ＩＤの登録以外の条件を付加することもできる。その場合には、第１データ制御部１１がトリガ信号を認識して、ＩＤを登録する際に、情報提供条件と対比するための情報をＩＤに対応付けるようにする。
【００５２】
この第２実施形態では、計数機１４の計数部１５が、この発明の遊技状況確認手段に当たるが、遊技状況確認手段はこれに限らないし、カード発行部１６も計数機１４に設ける必要はない。例えば、上記第１実施形態の遊技機対応端末２にカード発行手段を設け、遊技機１から入力される遊技機状況確認信号に応じたトリガ信号に基づいて、ＩＤを記録したカードを発行するようにしてもよい。
【００５３】
ただし、遊技媒体の計数を行った場合には、その計数値を記録したシートを発行することが多いので、計数機１４にカード発行部１６を設ければ、このシートと上記カードとを兼用することができる。
また、上記情報表示装置１７は、遊技場内のどこに設置してもかまわないし、計数機１４と１対１に対応している必要もない。１または複数の計数機１４と、１または複数の情報表示装置１７とが、ＩＤデータベース１８に接続されていればよい。つまり、どの計数機から発行されたカードを、どの情報表示装置１７に読み取らせても、同じ条件で、特典情報を見ることができる。
【００５４】
なお、上記カードの形態や、カードにＩＤを記録する方式はどのようなものでもかまわない。磁気カードや、ＩＣカードのほか、単なるシートでもよく、ＩＤを電磁気的に記録するだけでなく、バーコードなどを印刷してもよい。情報表示装置１７のカードリーダー９が、カードに記録されている情報を読み取ることができるものであればよい。さらに、この発明の記録媒体としては、カード形状にもこだわらない。
【００５５】
図４に、第３実施形態のシステム構成を示す。
このシステムは、計数機１４と情報表示装置１７とに、ＩＤデータベース１８を接続していない構成であり、図４には、その外観の模式図を示しているが、計数機１４と情報表示装置１７とは、図３に示す第２実施形態と同様の構成である。従って、以下の説明にも、図３を用いる。
つまり、計数機１４は、カード発行部１６に連結したカード排出口１９を備え、発行したカードｃはここから排出される。また、情報表示装置１７は、上記カードリーダー９に連結したカード挿入口７を備えている。
【００５６】
ただし、この第３実施形態では、計数機１４の第１データ処理部１１は、計数部１５からの計数値の入力に基づいてトリガ信号を認識したときに、ＩＤを特定するのではなく、特典情報を取得する権利を与えたことが分かる情報、すなわち、この発明の権利付与情報を、カードに記録する機能を備えている。例えば、上記カードに、情報表示装置１７の第２データ処置部１２が特典情報を表示させることを許可する、特典情報提供許可信号などの権利付与情報を記録するようにする。
また、この権利付与情報とともに、様々な特典情報提供条件を記録するようにしてもよい。
【００５７】
次に、第３実施形態の作用を説明する。
遊技者の獲得遊技媒体を、計数機１４に投入すると、計数部１５がそれを計数して、第１データ処理部１１に計数値を入力する（図３参照）。第１データ処理部１１は、入力された計数値に基づいて、トリガ信号を認識したときにのみ、カード発行部１６へ、権利付与情報を記録したカードｃを発行させる。トリガ信号を認識しなかった場合には、計数値のみを記録したカードを発行するか、カードを発行しないかにする。
【００５８】
ただし、権利付与情報を記録する場合には、ランプを点灯させたり、チャイムを鳴らしたりして、計数機１４側で、何らかの方法によって、権利付与されたことを遊技者に通知するようにする。
また、ここでは、上記権利付与情報とともに、特典情報提供条件との対比情報として、例えば、情報提供期限を○月×日の○時を記録するものとする。
【００５９】
上記権利付与情報と、対比情報とを記録したカードｃを受け取った遊技者は、情報表示装置１７のカード挿入口７にカードｃを挿入する。第２データ処理部１２は、カードリーダー９を介してカードｃに記録されている権利付与情報と、情報提供期限とを取り込んで、現時点が、情報提供期限内であるかどうかを確認する。提供期限内であれば、特典情報データベース３から特典情報を引き出して、その特典情報をディスプレイ６に表示させる。このとき、第２データ処理部１２に設定されている特典情報提供条件は、「カードｃに記載されている日時を情報提供期限とする」ということである。
【００６０】
この第３実施形態でも、他の実施形態と同様に、特別に会員登録をしていない遊技者に対して、特定の遊技状況になったことをトリガとして、特典情報を見る権利を与えることができる。
また、この第３実施形態では、カードにＩＤではなく、直接、権利不要情報や、条件との対比情報を記録するようにしているので、第１実施形態の指紋データベース４や、第２実施形態のＩＤデータベース１８が不要になるが、その分、カードｃの記録容量を必要とする。
【００６１】
なお、上記第１〜第３実施例において、遊技状況に応じたトリガ信号を認識した後に、さらに、抽選などを行なって、権利を付与するようにしてもよい。
【図面の簡単な説明】
【００６２】
【図１】この発明の第１実施形態のシステム構成図である。
【図２】第１実施形態の各構成要素の機能を表したブロック図である。
【図３】第２実施形態のシステム構成を示したブロック図である。
【図４】第３実施形態のシステム構成を示した模式図である。
【符号の説明】
【００６３】
１      遊技機
２      端末
３      特典情報データベース
４      指紋データベース
５      会員情報データベース
６      ディスプレイ
７      カード挿入口
８      指紋読み取り窓
９      カードリーダー
１０    指紋リーダー
１１    第１データ処理部
１２    第２データ処理部
１３    遊技用制御部
１４    計数機
１５    計数部
１６    カード発行部
１７    情報表示装置
１８    ＩＤデータベース
１９    カード排出口
【図１】
2007159860.tif 000003
【図２】
2007159860.tif 000004
【図３】
2007159860.tif 000005
【図４】
2007159860.tif 000006